(57)【要約】      （修正有）【課題】薬剤の服用ごとに広告データを患者の目に触れるようにし、個別情報をプリンターで印刷できるようにした薬袋の提供。【解決手段】中央部分に重なり部のない薬袋の裏面に予め広告データを印刷する。また、上記薬袋の表面に患者の氏名や薬剤についてのデータ等の個別情報を印字できる印字領域を設ける。【選択図】  図２
0003130492.tif 000002
【実用新案登録請求の範囲】
【請求項１】
裏面の少なくとも中央部分に重なり部のない薬袋であって、少なくとも裏面の中央部分に広告データが印刷される広告用のスペースを設けたことを特徴とする薬袋。
【請求項２】
上記薬袋の少なくとも表面に、薬袋を受け取る患者の氏名や薬袋の中に入れられる薬剤についてのデータ等の個別情報がプリンターで印字し得る印字領域が設けられていることを特徴とする請求項１記載の薬袋。
【請求項３】
上記表面に印字される個別情報には、実際に薬袋に入れられた薬剤の投薬期間が終了するまで利用される情報および投薬期間の終了後に利用される情報の少なくとも一方が含まれることを特徴とする請求項２に記載の薬袋。
【考案の詳細な説明】
【技術分野】
【０００１】
本考案は、調剤薬局等で患者に提供される薬剤を入れる薬袋に関する。
【背景技術】
【０００２】
図７を参照して、１００は従来の薬袋であり、横長の原紙の約左１／４に相当する左翼部１０１と、同じく約右１／４に相当する右翼部１０２とを、おのおの内側に折り曲げて裏側の中央部分で、両者の先端部分が重なる重なり部１０３で相互にのり付けする。そして、表面の下縁から延びる返し部１０４を裏側に折り曲げて裏面に対してのり付けすることにより底部を封鎖し製造される。
【０００３】
この従来の薬袋１００の表面は、図示しないが、この薬袋１００に医薬品を入れた状態で受け取る患者の氏名が書き込まれる欄や、患者に提供される薬剤の用法が記載される欄が設けられ、また、病院名あるいは調剤薬局名等の文字が印刷されている。
【０００４】
印刷は製版にインキをのせて紙に押しつけ、あるいは金属ローラーにインキを一旦オフセットし、その金属ローラを回転させながら紙に押しつけることにより行う。そのため上記のり付け行程を行った後に薬袋の表面に印刷しようとすると裏面の重なり部１０３による凹凸の影響が表面に及び、特に重なり部１０３の左右部分に対応する部分がうまく印刷されない。
【０００５】
そこで、薬袋の表面への印刷は、上述ののり付け行程が行われる前に、のり付け後に薬袋の表面となる位置に予め印刷されている。
【特許文献１】実用新案登録第３０３０２６９号公報（図１）
【考案の開示】
【考案が解決しようとする課題】
【０００６】
上述のようにのり付けし、薬袋とした後では表面にうまく印字できない。ましてや裏面には重なり部１０３そのものが存在するので印刷することができない。なお、左翼部１０１や右翼部１０２のいずれか一方に収まる大きさの印刷であれば、のり付け行程の前に予め印刷しておくことは可能であるが、左翼部１０１と右翼部１０２とにまたがるような大きな範囲の印刷は困難である。。
【０００７】
一方、チラシや包装用の袋に広告データを印刷し一般需用者に配布する広告が行われいてる。しかし、このようなチラシや包装用の袋を受け取った需用者は、広告データの内容に初めから関心がない場合には、広告データの内容をほとんど見ることなく捨ててしまい、広告効果が上がらない。仮に、これらのチラシや包装用の袋をすぐに捨てず数日間保管されたとしても、その数日間にチラシや包装用の袋を再度取り出して広告データを読むということはほとんど行われない。
【０００８】
そこで本考案は、上記の問題点に鑑み、裏面の中央部分を含む広い範囲に広告などが印刷できる薬袋を提供することを課題とする。
【課題を解決するための手段】
【０００９】
上記課題を解決するために本考案による薬袋は、裏面の少なくとも中央部分に重なり部のない薬袋であって、少なくとも裏面の中央部分に広告データが印刷される広告用のスペースを設けたことを特徴とする。
【００１０】
従来のように、裏面の中央部分に重なり部がある薬袋では、裏面の広い範囲にわたる印刷ができない。ところが、裏面の少なくとも中央部分に重なり部のない薬袋であれば、のり付けする前に予め広告を印刷することが可能である。そして、薬袋は患者が数日間連続して服用しなければならない薬剤が入れられるので、薬剤がすべて服用されるまでの数日間は捨てられることがない。また、その数日間は放置されるのではなく薬剤を服用すべき時間ごとに定期的に患者が手にする。そして、薬袋を手にするごとに薬袋に印刷されている広告データを見ることになる。
【００１１】
なお、薬袋へ患者の氏名を記入する作業や薬剤の用法についての情報は、従来では手書きされている。また、薬剤の名称や効能等の情報はデータベース化されており、別紙にプリントアウトされ、薬袋とともに患者に渡されているが、上記薬袋の少なくとも表面に、薬袋を受け取る患者の氏名や薬袋の中に入れられる薬剤についてのデータ等の個別情報がプリンターで印字し得る印字領域が設けられていれば、薬袋をプリンターに給紙することによって、これら個別情報を薬袋に印刷することができる。その結果、薬剤の情報を印字した別紙を紛失して薬剤の情報がわからなくなるといった不具合が解消される。
【００１２】
なお、上記表面に印字される個別情報には、実際に薬袋に入れられた薬剤の投薬期間が終了するまで利用される情報および投薬期間の終了後に利用される情報の少なくとも一方が含まれる。
【考案の効果】
【００１３】
以上の説明から明らかなように、本考案は、薬袋に広告データを印刷するので、薬袋内の薬剤がすべて服用されるまで薬袋が捨てられることがなく、その間薬剤の服用ごとに広告データが患者の目に触れるので広告効果が極めて高い。
【００１４】
併せて個別情報を印字できる印字領域を設けておけば、個別情報を手書きする必要がなく、また別紙に個別情報を印字する場合のように、印字された別紙を紛失するといった不具合が生じない。
【考案を実施するための最良の形態】
【００１５】
図１を参照して、１は長方形の原紙である。そして、この原紙１の中心線１１に沿って図示のように中心線１１が谷折りとなるように折り曲げる。中心線１１を挟む左右のうち少なくとも一方の隣り合う２辺に沿って接着剤４を塗布しておくことにより、図１のように折り曲げることにより薬袋１０ができあがる。
【００１６】
このようにして長方形の原紙１を折り曲げることにより製造される薬袋には、表面２と裏面３とが形成される。そこで、本実施の形態では、折り曲げる前の原紙１に、後に裏面３となる部分に、図２に示す広告データ３１を予め印刷した。従って、中心線１１に沿って折り曲げて薬袋１０を作成すると、図２に示すように、裏面３の広い範囲にわたる広告データ３１を印刷することができる。
【００１７】
一方、表面２となる面には、この薬袋１０を用いて患者に薬剤を提供する調剤薬局や医院の名称等が上記広告データ３１とともに同時に印刷されている。また、表面２には図３に示すように、薬袋１０を受け取る患者の氏名や薬袋の中に入れられる薬剤についてのデータ等の個別情報が印字される印字領域２１が設けられている。
【００１８】
これらの個別情報は患者に薬剤が提供される時点で、各調剤薬局等に設置されたパソコンのデータベースに蓄積されている。従って、患者に提供する薬剤が薬棚から集められ、薬袋１０に入れる準備ができた時点で、薬袋１０をパソコンに接続されたプリンターに給紙し、薬袋１０の表面に設けた印字領域に印字する。なお、薬袋１０は長方形の原紙１を二つ折りして相互にのり付けしたものであるから、全体に凹凸や厚みの変化がなく、プリンターに給紙しても紙詰まりや印字不良などの問題が生じることなく、きれいに印字することができる。
【００１９】
ところで、この薬袋１０は広告代理店が広告主を募集し、その広告主の広告データを印字し、大量に製造する。そして、その広告代理店が各調剤薬局等へ無償、あるいは有償で配布する。なお、広告データには季節に関連したような期限を限定する広告データもある。このような期間限定の広告データを印刷した薬袋１０は、期限が過ぎると広告代理店が調剤薬局等を回って未使用の薬袋１０を回収し、代わりに新しい広告データが印刷された薬袋を配布してくる。
【００２０】
上述の薬袋１０では、薬袋に入った薬剤を受け取った患者が、すぐに薬剤を取り出し別の容器に移し替え、薬袋を廃棄するおそれが残る。そこで、図４に示すように、患者の名前や薬局が患者に付した管理コードを表す２次元バーコード２２を印字するようにした。このように２次元バーコード２２を印字すると、次回の処方時に薬局でその２次元バーコード２２を読むことにより薬局での事務手続の軽減が図れる。そのため、薬局の局員は次回に薬袋１０を持参するように患者に指導することになる。その結果、薬袋１０は廃棄されることなく、次回調剤時まで患者が保管することになる。
【００２１】
また、患者が薬剤を服用したかどうかをチェックするためのチェックシート２３を印字しておけば、患者は薬剤を服用し続ける間、薬袋１０を利用することになり、やはり薬袋１０の早期の廃棄を防止することができる。
【００２２】
なお、上述の実施の形態では広告データ３１を印字するスペースが少ない場合、例えば図５や図６に示すように、裏面３を表面２より広く形成し、裏面３の延長部分をフラップ３ａ，３ｂとして、そのフラップ３ａ，３ｂに更に広告データを印字するようにしてもよい。
【００２３】
ところで、上記実施の形態では原紙１を左右に二つ折りして薬袋１０を作成したが、上下に二つ折りして左右をのり付けして薬袋を作成してもよい。また、原紙１ではなく樹脂フィルムを用いて表面側と裏面側とを溶着もしくは接着させることにより、樹脂フィルム製の薬袋を作成してもよい。
【００２４】
なお、本考案は上記した形態に限定されるものではなく、本考案の要旨を逸脱しない範囲内において種々の変更を加えてもかまわない。
【図面の簡単な説明】
【００２５】
【図１】本考案の一実施の形態の構成を示す図
【図２】薬袋の裏面を示す図
【図３】薬袋の表面を示す図
【図４】薬袋の表面の他の形態を示す図
【図５】フラップにより印字スペースを拡張した薬袋を示す図
【図６】フラップにより印字スペースを拡張した薬袋を示す図
【図７】従来の薬袋の裏面を示す図
【符号の説明】
【００２６】
１ 原紙
１０ 薬袋
１１ 中心線
１００ 従来の薬袋
１０１ 左翼部
１０２ 右翼部
１０３ 重なり部
１０４ 折り返し部
２ 表面
２１ 印字領域
３ 裏面
３１ 広告データ
４ 接着剤
【図１】
0003130492.tif 000003
【図２】
0003130492.tif 000004
【図３】
0003130492.tif 000005
【図４】
0003130492.tif 000006
【図５】
0003130492.tif 000007
【図６】
0003130492.tif 000008
【図７】
0003130492.tif 000009